(57)【要約】  プリンタと、複数のワークステーションと、携帯機器とを具備するネットワークである。ユーザはワークステーション上でプリントジョブを実行または生成することが可能である。プリントジョブは、ネットワークを介してプリンタへ送信される。プリンタは、ユーザがプリンタの近辺に携帯機器を持ち込むまでプリントジョブを印刷しない。
2008502055.tif 000002
【特許請求の範囲】
【請求項１】
プリントジョブを生成するための少なくとも１つのワークステーションと、
前記少なくとも１つのワークステーションに接続されたプリンタと、
前記プリンタと通信するための携帯機器と、
を具備するネットワークであって、
前記プリンタは、前記携帯機器が前記プリントジョブを印刷するための認証情報を提供するまで前記プリントジョブを印刷しないネットワーク。
【請求項２】
前記プリンタは、前記携帯機器と前記プリンタとの間の距離が所定距離内となるまで前記プリントジョブを印刷しない請求項１に記載のネットワーク。
【請求項３】
前記プリンタは、前記プリンタが前記携帯機器を識別するまで前記プリントジョブを印刷しない請求項１または２に記載のネットワーク。
【請求項４】
前記携帯機器は識別コードを有し、
前記プリンタは、前記携帯機器を識別するために前記携帯機器の前記識別コードを取得するためＲＦ信号を介して前記携帯機器と通信する請求項３に記載のネットワーク。
【請求項５】
前記プリントジョブは認証コードを有し、
前記プリンタは、前記携帯機器の前記識別コードが前記プリントジョブの前記認証コードに対応するときに前記プリントジョブを印刷する請求項４に記載のネットワーク。
【請求項６】
前記プリンタは、
スロットが設けられた回路基板と、
前記プリントジョブの印刷を認証するために前記携帯機器と通信するため前記スロットに接続されるセキュリティモジュールと、
をさらに具備する請求項１から５のいずれか１項に記載のネットワーク。
【請求項７】
前記携帯機器は非接触スマートカードである請求項１から６のいずれか１項に記載のネットワーク。
【請求項８】
前記携帯機器および前記プリンタの通信は、ＩＳＯ１４４４３ＡおよびＩＳＯ１５６９３の一方に準拠する請求項１から７のいずれか１項に記載のネットワーク。
【請求項９】
前記プリントジョブを認証するために前記携帯機器を前記プリントジョブと対応付けるためのセキュアプリンティングソフトウェアをさらに具備する請求項１から８のいずれか１項に記載のネットワーク。
【請求項１０】
前記携帯機器は、ＲＦ信号を介して前記プリンタと通信する請求項１から９のいずれか１項に記載のネットワーク。
【請求項１１】
印刷するための印刷モジュールと、
スロットが設けられ、かつ前記印刷モジュールを制御するために前記印刷モジュールに接続された回路基板と、
前記印刷モジュールの印刷を許可するために携帯機器をプリントジョブと対応付けるため、外部の前記携帯機器と通信するための前記回路基板の前記スロットに接続されたセキュリティモジュールと、
を具備するプリンタ。
【請求項１２】
前記携帯機器は識別コードを有し、
前記セキュリティモジュールは、前記携帯機器の前記識別コードが所定コードと合致するときに前記プリンタがプリントジョブを印刷するように、前記携帯機器の前記識別コードを取得するためにＲＦ信号を介して前記携帯機器と通信する請求項１１に記載のプリンタ。
【請求項１３】
前記携帯機器は非接触スマートカードである請求項１１または１２に記載のプリンタ。
【請求項１４】
前記回路基板の前記スロットはメモリスロットである請求項１１から１３のいずれか１項に記載のプリンタ。
【請求項１５】
前記識別コードと前記所定コードとを比較するための比較部をさらに具備する請求項１２に記載のプリンタ。
【請求項１６】
前記識別コードに対応付けられた前記所定コードを生成するための認証コードモジュールをさらに具備する請求項１２に記載のプリンタ。
【請求項１７】
セキュアドキュメントを印刷するための方法であって、
前記セキュアドキュメントのプリントジョブを生成するステップと、
前記プリントジョブに認証コードを割り当てるステップと、
前記プリントジョブの印刷を認証するために前記認証コードを携帯機器の識別コードに対応付けるステップと、
前記プリントジョブを前記認証コードおよび前記識別コードとともにプリンタへ送信するステップと、
前記携帯機器が識別されたときに前記プリントジョブの印刷を許可するステップと、
を有する方法。
【請求項１８】
ネットワークを介して前記プリントジョブを送信するステップをさらに有する請求項１７に記載の方法。
【請求項１９】
前記携帯機器は非接触スマートカードである請求項１７または１８に記載の方法。
【請求項２０】
通信するステップにおいて、前記携帯機器はＲＦ信号を介して前記プリンタと通信する請求項１７から１９のいずれか１項に記載の方法。
【請求項２１】
識別するステップにおいて、
前記携帯機器と前記プリンタとの間の通信を確立するステップと、
前記携帯機器から前記識別コードを取得するステップと、
前記携帯機器から取得した前記識別コードを前記認証コードと比較するステップと、をさらに有し、
前記携帯機器から取得した前記識別コードと前記認証コードとが合致するとき前記プリントジョブが許可される請求項１７から１９のいずれか１項に記載の方法。
【請求項２２】
前記印刷を許可するステップは、
前記識別コードを取得するために前記携帯機器と前記プリンタとの間の通信を確立するステップと、
前記認証コードと前記識別コードとが合致したとき前記プリントジョブを印刷するステップと、
を有する請求項２１に記載の方法。
【請求項２３】
プリンタへのプリントジョブを生成するためのワークステーションであって、
プリントジョブを生成するためのプリントジョブ生成部と、
携帯機器の識別コードを取得するように前記識別コードを有する外部の前記携帯機器と通信するための通信モジュールと、
前記識別コードに対応付けられた認証コードを生成し、かつ外部のプリンタに前記プリントジョブを送信するために前記プリントジョブを前記認証コードおよび前記識別コードと対応付けるための認証コードモジュールと、を具備し、
前記プリンタは、前記携帯機器と前記プリンタとの間の距離が所定距離内であり、かつ前記携帯機器が前記認証コードと正しく対応付けられたときに前記プリントジョブを印刷するワークステーション。
【請求項２４】
前記プリンタは前記携帯機器と通信し、かつ前記携帯機器の前記識別コードを受信するためのセキュリティモジュールを具備し、
前記プリントジョブは、ネットワークを介して前記プリンタに送信され、
前記ネットワークは、前記携帯機器の前記識別コードと前記プリントジョブの前記認証コードとが合致しないならば前記プリンタが前記プリントジョブを印刷しないように、前記携帯機器の前記識別コードと前記プリントジョブの前記認証コードとを比較するための比較部を具備する請求項２３に記載のワークステーション。
【発明の詳細な説明】
【技術分野】
【０００１】
本発明は、プリンタに関し、より詳細には印刷するドキュメントのセキュリティに関する。
【０００２】
本出願は、発明の名称を“非接触セキュアプリンティング”とし、２００４年６月２日に出願され、本発明の譲受人に譲渡された、共に係属中の米国仮特許出願第６０／５７６，１７１号、代理人番号（Attorney Docket Number）O2Micro 04.12Pによる優先権を主張し、その全体を引用してここに組み込む。
【背景技術】
【０００３】
プリンタは、共通ネットワークの複数のワークステーションを利用する複数のユーザによって共有することが可能である。また、プリンタは、スキャンおよびコピー機能のような追加機能を組み込んだ複合機とすることも可能である。典型的な作業環境において、多くの人はプリンタに無制限にアクセスすることが可能であり、かつ多くのドキュメントがプリンタに放置されることは珍しくない。多くの場合この習慣は概して許容される可能性があるが、そのようなドキュメントが要注意の、財産上の、または秘密の情報を含む可能性があるときは好ましくない。この場合、そのような印刷され放置されたドキュメントは、そのプリンタにアクセスを許可されているが印刷されたドキュメントにはアクセスを許可されていない人によっても容易に見ることが可能である。
【発明の開示】
【発明が解決しようとする課題】
【０００４】
セキュアデータの印刷に向けた安全な印刷方法および製品が入手可能である。そのような方法は、ソフトウェアおよびハードウェアの組み合わせを利用することが可能である。ユーザがネットワークプリンタにセキュアデータを印刷したいとき、プリントジョブは安全な場所、例えばネットワークサーバのハードドライブに書き込むことが可能である。許可されたユーザがネットワークプリンタに物理的に存在するとき、その許可されたユーザは、特定の識別コードを入力するためにネットワークプリンタの外部接触入力機器を利用する。するとシステムは識別コードと印刷待ちのドキュメントの許可されたコードとを比較する。システムは、識別コードがドキュメントの正しい受取人に対応することを検証すると、ドキュメントが印刷されることを許可する。従って、ネットワークプリンタに放置されるセキュアデータは最小限に抑えられるので、セキュアデータはより保護される。
【０００５】
しかし、現在の安全な印刷製品およびソリューションは、外部接触入力機器がネットワークプリンタに付加されることを必要とする。例えば、これはキーパッド、磁気ストライプリーダ、スマートカードリーダ等が可能である。そのような外部接触入力機器は、既存の製品ラインに適合させることが困難なネットワークプリンタへの変更を必要とする。例えば、そのような変更は、そのような外部接触入力機器を収容するために、機器の機械的配置の変更および／または機器に付加される追加コネクタを必要とする可能性がある。
【０００６】
従って、上述した欠点を克服することが可能な印刷システムまたはプリンタの必要性が存在する。
【課題を解決するための手段】
【０００７】
本発明の目的は、セキュアドキュメントを印刷するための非接触プリンタおよび方法を提供することである。特に、前記プリンタは、セキュアドキュメントを印刷するために携帯機器の所持者を識別するため非接触の手法によって外部の携帯機器と通信するモジュールを具備する。
【０００８】
上記の目的を達成するため、本発明はプリンタが設けられたネットワークを提供する。ネットワークは、複数のワークステーションおよび携帯機器をさらに具備する。ユーザは、ワークステーション上でプリントジョブを実行または生成することが可能である。プリントジョブはネットワークを介してプリンタへ送信される。プリンタは、ユーザがプリンタの近辺に携帯機器を持ち込むまでプリントジョブを印刷しない。
【０００９】
本発明の他の目的、効果、および新たな特徴は、添付図面とともに後述の詳細な説明からより明らかになる。
【発明を実施するための最良の形態】
【００１０】
ここで、本発明であるセキュアドキュメントを印刷する機器および方法の好ましい実施形態を詳細に参照する。本発明は好ましい実施形態とともに記載されるが、本発明をこれらの実施形態に限定することを意図するものではないと理解されるべきである。逆に、本発明は、添付の特許請求の範囲によって定義される本発明の思想および範囲内に含まれる変形、改良および均等物を含むことを意図する。
【００１１】
さらに、後述の本発明の詳細な説明において、本発明の十分な理解を与えるために、非常に多くの特定的な詳細が記載される。しかし、本発明はこれらの特定的な詳細なしに実施することが可能であることは、この技術分野の当業者に理解される。他の実施形態において、よく知られた方法、手順、構成要素、および回路は、本発明の構成を不必要に不明瞭にしないように、詳細には記載されていない。
【００１２】
図１を参照すると、本発明の実施形態によるプリンタ１０２を含むネットワークシステム１００が表わされている。ネットワーク１００には、インターネットプロトコル（ＩＰ）およびトランスミッションコントロールプロトコル（ＴＣＰ）のような各種の通信プロトコルによって互いに通信することが可能である各種の機器が設けられている。ネットワーク１００は、互いに情報および／または命令を交換するために通信することが可能であるプリンタ１０２、複数のパーソナルコンピュータまたはユーザワークステーション１０４、１０６、・・・、１０８、およびサーバ１１０を含む。明瞭のために３つのワークステーション１０４、１０６、・・・、１０８のみ表わされているが、どのような数のワークステーションもネットワーク１００に存在し、かつプリンタ１０２を利用してドキュメントを印刷することが可能である。
【００１３】
例えば、一実施形態において、前記ネットワークシステム１００はローカルエリアネットワーク（ＬＡＮ）であり、かつ前記ユーザワークステーション１０４、１０６、・・・、１０８、前記サーバ１１０および前記プリンタ１０２のような機器は互いに通信するためにＬＡＮバックボーンに接続されることが可能である。前記プリンタ１０２は印刷のみの機能を有することが可能であり、および／または、プリンタはスキャン、コピー、ファックスおよび／または電子メール機能のような他の機能も含む複合機であることが可能である。
【００１４】
前記ネットワーク１００には、本発明の実施形態によるセキュアプリンティングソフトウェアが設けられている。本発明の一実施形態によれば、セキュアプリンティングソフトウェアは前記ワークステーション１０４、１０６、・・・、１０８にインストールされる。上記の代わりに、もう１つの実施形態において、セキュアプリンティングソフトウェアは前記サーバ１１０にインストールされる。セキュアプリンティングソフトウェアはプリントジョブの安全な印刷を可能とするために前記プリンタ１０２との通信を可能とする。
【００１５】
図２を参照すると、本発明の一実施形態による図１に示すネットワークシステム１００のプリンタ１０２が表わされている。プリンタ１０２には、印刷するための印刷モジュール２２２と、印刷モジュール２２２を制御するための制御回路と複数のスロット２０４、２０６、２０８とを有する回路基板２２０とが設けられている。スロット２０４、２０６、２０８は、特定のモジュールが接続されるように設計されている。一実施形態において、スロット２０４、２０６、２０８は、メモリモジュールが接続されるように構成されたメモリスロットである。例えば、１つのメモリモジュールはデュアルインラインメモリモジュール（ＤＩＭＭ）とすることが可能である。もう１つのメモリモジュールはシングルインラインメモリモジュール（ＳＩＭＭ）とすることが可能である。そのようなメモリスロットに接続されるメモリモジュールは、典型的には対応するスロットに接続可能とするために、特定の大きさおよび接続構成を有する。例えば、スロット２０８は、プリンタおよびデスクトップコンピュータにおいて一般的に用いられる１００ピンＤＩＭＭスロットとすることが可能である。そのようなモジュールは、個別に設置、置換、または修理することが可能である。メモリモジュールは、個別の回路基板に１つまたは２つ以上のランダムアクセスメモリ（ＲＡＭ）チップを含む。
【００１６】
本発明の実施形態によれば、セキュリティモジュール２１２には、携帯機器２１８が前記プリンタ１０２の所定の近傍内に存在するときに、セキュリティモジュール２１２が携帯機器２１８と通信することを可能とするために非接触通信機能が設けられている。セキュリティモジュール２１２は、前記スロット２０８に正しく接続することが可能であるように、典型的なモジュール、例えばメモリモジュールと同様な大きさとされる。ネットワーク１００のユーザは、携帯機器２１８を持ち運ぶことが可能である。さらに、セキュリティモジュール２１２は、携帯機器２１８と通信するための非接触通信デバイス２１６を具備する。
【００１７】
ユーザが前記プリンタ１０２の近辺に前記携帯機器２１８を持ち込むと、前記セキュリティモジュール２１２の非接触通信デバイス２１６は携帯機器２１８の存在および出所（identity）を検出する。そして前記セキュアプリンティングソフトウェアは、認証／識別コードを用いて携帯機器２１８の出所を検査し、携帯機器２１８の出所が許可された識別コードと合致する場合はセキュアデータの印刷を可能とする。上述したように、携帯機器２１８と協働するセキュリティモジュール２１２が設けられたプリンタ１０２とセキュアプリンティングソフトウェアとには、安全な印刷機能が設けられている。
【００１８】
さらに、前記非接触通信デバイス２１６を有する前記セキュリティモジュール２１２は、プリンタに安全な印刷機能が設けられるように、前記回路基板のスロットを介して他のどのようなプリンタにも容易に設置することが可能であると理解するべきである。プリンタに安全な印刷機能を設けるために他のハードウェアの変更は必要ない。従って、安全な印刷機能はアフターマーケット製品として容易に販売することが可能であり、または、個別の顧客の注文に応じて安全な印刷機能とともにプリンタを販売することが可能である。そのため外部接触入力機器が利用されるときに発生する組み立て工程の複雑化は効果的に回避される。
【００１９】
本発明の一実施形態によれば、前記セキュリティモジュール２１２の前記非接触通信デバイス２１６は、標準サイズのメモリモジュール、例えばＤＩＭＭに組み込むことが可能なＲＦ（radio frequency）リーダである。ＲＦリーダ２１６は、ユーザが前記プリンタ１０２の近辺に前記携帯機器２１８を持ち込んだときに、ＲＦ信号を介した通信によって携帯機器２１８および／または携帯機器２１８の関連コードを識別することが可能である。セキュリティモジュール２１２のＲＦリーダ２１６によって読み取られた識別コードを読み取り、識別コードを特定のセキュアドキュメントのために許可されたコードと比較し、そしてその識別コードが許可されたコードと合致したときにセキュアドキュメントの印刷を許可するために、システムのファームウェアコードも更新される。ＲＦリーダ２１６に加えて付加機能もセキュリティモジュール２１２に追加される。そのような機能は、暗号および復号機能のようなセキュリティ機能を含む。
【００２０】
本発明のいくつかの実施形態において、送信器または受信器のいずれかが前記セキュリティモジュール２１２に配置される。前記携帯機器２１８は、通信がセキュリティモジュール２１２と携帯機器２１８との間で物理的な接触なしに行われるように、他の協働する機器（送信器または受信器）を含む。
【００２１】
本発明のもう１つの実施形態によるセキュリティモジュール２１２は、送信器および受信器の両方を含む。セキュリティモジュール２１２の送信器は、既知の周波数において呼掛け信号（interrogation signal）を送信する。携帯機器２１８は、識別データを表わす応答信号によって呼掛け信号に応答するように構成される。そして、セキュリティモジュール２１２の受信器は、この応答信号を検出するとともに、必要に応じて携帯機器２１８によって提供される識別データを判定するために応答信号をデコードする。呼掛け信号の送信および応答信号の受信を援助するためにセキュリティモジュール２１２にアンテナが含まれる。
【００２２】
図３を参照すると、本発明のもう１つの実施形態によるセキュリティモジュール２１２ａおよび携帯機器２１８ａが表わされている。セキュリティモジュール２１２ａは、携帯機器２１８ａがユーザによって前記プリンタ１０２の所定距離内に持ち込まれたときに、セキュリティモジュール２１２ａと携帯機器２１８ａとの間で非接触通信を可能とするために図２に示すプリンタ１０２において利用される。セキュリティモジュール２１２ａは、５０オームアンテナのようなアンテナ３０８、ＲＦＩＤ（Radio Frequency Identification）アナログフロントエンド（ＡＦＥ）回路３０２、８ビットマイクロコントローラのようなマイクロコントローラ３０４、およびＤＥＳ（Data Encryption Standard）、ＡＥＳ（Advanced Encryption Standard）、および３ＤＥＳ（Triple DES）のような各種の暗号および復号ファンクションを実現するためのＦＰＧＡ（Field Programmable Gate Array）を含む。
【００２３】
前記携帯機器２１８ａは、前記ＲＦＩＤ回路３０２と協働するスマートカードに組み込まれたトランスポンダまたはタグとすることが可能である。携帯機器２１８ａは、はアクティブまたはパッシブタグを含む。アクティブタグは、それ自体の電源、例えばバッテリーが設けられ、かつ一定間隔で信号を送信する。アクティブタグは、典型的にはパッシブタグより長距離で動作する。パッシブタグはそれ自体の電源を設けず、その代わりにＲＦＩＤ回路３０２の送信器によって生成された磁界に遭遇したときに活性化される。携帯機器２１８ａは非接触スマートカードとし、または、ＩＳＯ１４４４３ＡまたはＩＳＯ１５６９３を含むＩＳＯ（国際標準化機関）によって開発された標準に準拠するかまたは互換性を有することが可能である。
【００２４】
図３に示すセキュリティモジュール２１２ａは、前記ＲＦＩＤ／ＡＦＥ回路３０２によるＲＦＩＤ識別機能と、暗号および復号回路３０６によるセキュリティ機能とを組み合わせることが可能である。さらに、セキュリティモジュール２１２ａは、特定の周波数、例えば１３．５６ＭＨｚで動作する基地局およびフィールド変調スイッチ（field modulation switch）を含むことが可能である。
【００２５】
本発明の一実施形態による前記アナログフロントエンド回路３０２は、１３．５６ＭＨｚのＲＦＩＤリーダシステムのための統合されたアナログシステムである。ＡＦＥ回路３０２は高度に可変であり、例えばＩＳＯ１４４４３およびＩＳＯ１５６９３をカバーする２１２ｋＨｚから８４８ｋＨｚを含む異なるサブキャリア周波数を有する異なるＲＦＩＤリーダシステムにおいて用いることが可能である。前記セキュリティモジュール２１２ａは、ＩＳＯ１５６９３標準に準拠するかまたは互換性を有するので、セキュリティモジュール２１２ａは約３メートルの範囲まで前記携帯機器２１８ａを検出することが可能である。さらに、セキュリティモジュール２１２ａのＲＦＩＤ回路３０２は、５０オーム（アンテナ）への２０ｍＷの出力パワーを生成し、かつＡＳＫ（Amplitude-Shift Keying）およびＯＯＫ（ON-Of Keying）デジタル変調技術を含む各種の変調技術を利用することが可能な集積回路（ＩＣ）送信器を含むことが可能である。
【００２６】
さらに、図４を参照すると、本発明の一実施形態によるワークステーション１０４ｂが表わされている。ワークステーション１０４ｂには、安全なプリントジョブを生成するためのプリントジョブ生成部４０４が設けられている。この技術分野の当業者には、プリントジョブ生成部４０４はオペレーションシステムの上で動作するソフトウェアとすることが可能であることが明らかである。安全なプリントジョブが生成されると、ワークステーション１０４ｂはユーザに携帯機器２１８ｂに対応付けられた認証コードの提供を要求する。例えば、携帯機器２１８ｂは非接触スマートカードである。ワークステーション１０４ｂは、ＲＦ信号を介して携帯機器２１８ｂと通信し、かつ携帯機器２１８ｂの識別コードを取得／受信するための通信モジュール４０２が設けられている。受信された携帯機器２１８ｂの識別コードは認証コードとして保存される。認証コードは、ワークステーション１０４ｂの認証コードモジュール４０６において安全なプリントジョブと対応付けられる。安全なプリントジョブはサーバ１１０ｂに送信される。そして、ユーザが携帯機器２１８ｂをプリンタ１０２ｂの近辺に持ち込むと、携帯機器２１８ｂの識別コードがプリンタ１０２ｂによって受信され、かつサーバ１１０ｂに送信される。サーバ１１０ｂの比較部４１２は、受信された識別コードと安全なプリントジョブの認証コードとを比較し、受信された識別コードが認証コードに対応するならば、安全なプリントジョブが印刷される。この場合、携帯機器２１８ｂを所持していない人は、安全なプリントジョブの印刷を可能とすることができない。上記の代わりに、ユーザは携帯機器２１８ｂの識別コードに対応付けられた認証コードを入力またはキーインすることが可能である。
【００２７】
本発明のもう１つの実施形態によれば、ユーザが前記ネットワーク１００にログインしたとき、ネットワーク１００はユーザを識別する。前記セキュアプリンティングソフトウェアは、許可されたユーザの携帯機器２１８の識別コードに対応付けられた認証コードのリストを有する。ユーザが安全なプリントジョブを生成すると、安全なプリントジョブはプリンタ１０２へ送信される。安全なプリントジョブは、ユーザが携帯機器２１８をプリンタ１０２の近辺に持ち込み、かつ携帯機器２１８の識別コードがリストにおける認証コードの１つと合致するまで、安全なプリントジョブは印刷されない。すなわち、この場合、プリンタ１０２は、許可されたユーザのグループによって安全なプリントジョブの印刷を可能とする。
【００２８】
図５を参照すると、本発明の実施形態によるセキュアドキュメントを印刷するための方法５００が表わされている。ステップ５１０において、セキュアドキュメントを印刷するためにネットワークにおけるワークステーションを使用するとき、ユーザはワークステーションにおいて印刷命令を実行することが可能である。ワークステーションは、プリンタに直接またはネットワークのサーバを介してセキュアドキュメントのプリントジョブを送信する。ステップ５１２において、ユーザはプリンタの近辺に携帯機器を持ち込む。ステップ５１４において、携帯機器は、ＲＦ信号のような非接触な手段によってプリンタと通信する。携帯機器の識別コードがセキュリティモジュールに送信される。ステップ５１６において、携帯機器の識別コードは、携帯機器の識別コードが認証コードと合致するか判定するために認証コードと比較される。携帯機器の識別コードが認証コードと合致しないならば、印刷を中止するためにステップ５２０へ進む。合致するならば安全なプリントジョブを印刷することを可能とするためにステップ５１８へ進む。
【００２９】
一実施形態において、ステップ５１０において、プリントジョブに対応付けられ、かつ携帯機器の識別コードに対応する認証コードが生成される。認証コードはプリントジョブに対応付けられる。ステップ５１６において、携帯機器の識別コードは安全なプリントジョブを印刷可能とするために対応付けられた認証コードと比較される。
【００３０】
上述の記載および図面は本発明の好ましい実施形態を表わすが、その中で添付の特許請求の範囲において定義された本発明の技術的思想および技術的範囲から逸脱することなく様々な追加、変形および置換が可能であることが理解される。この技術分野の当業者は、本発明が、形式、構造、配置、比率、物質、素子、および部材の多くの変更とともに用いることが可能であり、かつそうでなければ、本発明の技術的範囲から逸脱することなく、特定の環境および動作条件に特に適用される本発明の実施において用いることが可能であることを理解する。従って、ここで開示された実施形態は、全ての点で、添付の特許請求の範囲およびそれらの法的な均等物によって示され、かつ上記の記載に限定しない本発明の範囲の説明として、かつ限定しないものとして判断される。
【図面の簡単な説明】
【００３１】
【図１】本発明の実施形態によるプリンタを含むネットワークのブロック図である。
【図２】本発明の実施形態による図１に示すプリンタの斜視図である。
【図３】本発明の実施形態による図２に示すセキュアモジュールのブロック図である。
【図４】ここでの実施形態によるワークステーションおよびプリンタのブロック図である。
【図５】本発明の実施形態によるセキュアドキュメントを印刷するための方法を示す図である。
【符号の説明】
【００３２】
１００  ネットワークシステム
１０２  プリンタ
１０４、１０６、・・・、１０８、１０４ｂ  ユーザワークステーション
１１０、１１０ｂ  サーバ
２０４、２０６、２０８  スロット
２１２、２１２ａ  セキュリティモジュール
２１６  非接触通信デバイス
２１８、２１８ａ、２１８ｂ  携帯機器
２２０  回路基板
２２２  印刷モジュール
３０２  ＲＦＩＤアナログフロントエンド回路
３０４  マイクロコントローラ
３０６  暗号および復号回路
３０８  アンテナ
４０２  通信モジュール
４０４  プリントジョブ生成部
４０６  認証コードモジュール
４１２  比較部
【図１】
2008502055.tif 000003
【図２】
2008502055.tif 000004
【図３】
2008502055.tif 000005
【図４】
2008502055.tif 000006
【図５】
2008502055.tif 000007
【国際調査報告】
2008502055.tif 000008
2008502055.tif 000009
2008502055.tif 000010